(57)【特許請求の範囲】
【請求項１】
フォロア部と直進規制部が設けられたレンズ部を保持し、光軸方向に移動するレンズ鏡筒であって、
前記レンズ部に設けられたフォロア部を追従させるカム部が外周に形成され、回転することにより前記レンズ部を前記光軸方向に移動させる円筒部と、
前記レンズ部の移動を光軸方向に規制する直進規制部材と、
前記円筒部とバヨネット結合され、バヨネット結合された前記円筒部が光軸周りに回転しても、光軸周りに回転しないように光軸周りの回転が規制されており、かつ前記レンズ部が光軸周りに回転すると、前記レンズ部に設けられた直進規制部と非当接状態から当接状態へ移行する被直進規制部が設けられた第２円筒部と、
前記直進規制部材および前記第２円筒部の光軸回りの回転を規制する第２直進規制部材と、
前記第２円筒部の外周に配置され、前記円筒部および前記第２円筒部を前記光軸方向に移動させる第３円筒部とを有し、
前記第２直進規制部材は、円環部と、前記円環部から前記光軸方向に突出して設けられ、前記直進規制部材および前記第２円筒部とそれぞれ嵌合し、前記直進規制部材および前記第２円筒部の移動を直進に規制する複数の第２直進規制部と、前記第２直進規制部の両側の前記円環部に形成され、前記第３円筒部と回転自在に結合する結合部とを有することを特徴とするレンズ鏡筒。
【請求項２】
前記第２直進規制部材は、前記第２直進規制部の接線方向における両側の前記円環部に形成され、前記第２直進規制部の変形を防止する変形防止保持部を有することを特徴とする請求項１記載のレンズ鏡筒。
【請求項３】
前記変形防止保持部は、その両側に配置された前記複数の第２直進規制部を保持することを特徴とする請求項２記載のレンズ鏡筒。
【請求項４】
前記結合部は、前記変形防止保持部を兼ねており、前記第３円筒部の後端部にバヨネット結合することを特徴とする請求項２記載のレンズ鏡筒。
【請求項５】
請求項１乃至４のいずれかの１項に記載のレンズ鏡筒を備えた撮影装置。
【発明の詳細な説明】
【技術分野】
【０００１】
本発明は、レンズ鏡筒、およびこのレンズ鏡筒を備えた撮影装置に関する。
【背景技術】
【０００２】
従来から銀塩フィルムを用いるフィルムカメラは広く普及しているが、近年、フィルムを使用せずに画像をメモリに取り込むことができるデジタルカメラが急速に普及している。このデジタルカメラの中には、複数の光学レンズを光軸方向に移動させて撮影倍率を変更するズーム機構を備えたものがある。
【０００３】
特許文献１には、ズーム鏡筒の構成の一例が示されている。このズーム鏡筒では、複数のレンズを保持する複数のレンズ保持部をカムリングで光軸方向に移動させ、なおかつ回転規制部によりレンズ保持部の回転方向への移動を規制している。この構成により光学レンズを指定の位置に移動させることができる。
【０００４】
近年では、高倍率化が急速に進展しており、それに伴ってレンズ群が増加したり、繰出し全長が長くなったりして、ズーム鏡筒は大型化する傾向にある。また、カメラの薄型化の要求も強くあり、収納時の大きさを極力薄くすることが求められている。この薄型化のためには、鏡筒における各筒の光軸方向の寸法を短くし、多段構成によって繋げていくことが考えられる。このような薄型化の方法は様々に提案されている。
【０００５】
特許文献２には、小型化のために柱状の金属直進キーを使用した鏡筒の例が示されている。このようにすると、肉厚の薄い金属キーで鏡筒における筒の一部を直進保持することができる。このような鏡筒は、従来のようにプラスチック成型の筒で直進保持する場合に比べてスペース効率が良く、小型化に適している。
【０００６】
また、特許文献３には、多段階にカム筒を繋げている鏡筒の一例が示されている。この場合も同様に、肉厚の薄い金属キーで鏡筒における筒の一部を直進保持しており、このような鏡筒も小型化に適している。
【特許文献１】特開２００１−３２４６６３号公報
【特許文献２】特開２０００−６６０８１号公報
【特許文献３】特開２００３−２１７７６号公報
【発明の開示】
【発明が解決しようとする課題】
【０００７】
しかしながら、上記特許文献２、３のレンズ鏡筒では、カメラの落下等で衝撃が加わった場合、直進規制する金属キーに回転力が加わらなければ問題は生じないが、回転力が加わった場合、直進キーに横加重が生じる。このため、その力量しだいでは、直進キーが倒れてしまい、鏡筒動作に支障をきたすことになる。
【０００８】
近年、カメラの小型化が進んでおり、それに伴い、外部からの衝撃をいかに効率的に吸収するかということが課題になっている。
【０００９】
このように、鏡筒は、精度の良い構成を備えながら、外部からの衝撃に強い構成を備えていることが必要である。
【００１０】
そこで、本発明は、外部の衝撃に対する強度が増すことができるレンズ鏡筒および撮影装置を提供することを目的とする。
【課題を解決するための手段】
【００１１】
上記目的を達成するために、本発明のレンズ鏡筒は、フォロア部と直進規制部が設けられたレンズ部を保持し、光軸方向に移動するレンズ鏡筒であって、前記レンズ部に設けられたフォロア部を追従させるカム部が外周に形成され、回転することにより前記レンズ部を前記光軸方向に移動させる円筒部と、前記レンズ部の移動を光軸方向に規制する直進規制部材と、前記円筒部とバヨネット結合され、バヨネット結合された前記円筒部が光軸周りに回転しても、光軸周りに回転しないように光軸周りの回転が規制されており、かつ前記レンズ部が光軸周りに回転すると、前記レンズ部に設けられた直進規制部と非当接状態から当接状態へ移行する被直進規制部が設けられた第２円筒部と、前記直進規制部材および前記第２円筒部の光軸回りの回転を規制する第２直進規制部材と、前記第２円筒部の外周に配置され、前記円筒部および前記第２円筒部を前記光軸方向に移動させる第３円筒部とを有し、前記第２直進規制部材は、円環部と、前記円環部から前記光軸方向に突出して設けられ、前記直進規制部材および前記第２円筒部とそれぞれ嵌合し、前記直進規制部材および前記第２円筒部の移動を直進に規制する複数の第２直進規制部と、前記第２直進規制部の両側の前記円環部に形成され、前記第３円筒部と回転自在に結合する結合部とを有することを特徴とする。
【発明の効果】
【００１５】
本発明の請求項１に係るレンズ鏡筒によれば、レンズ部への衝撃力を、その内周に配置された直進規制部材で受け止めるとともに、その外周に配置された第２円筒部で受け止めるので、外部の衝撃に対する強度を増すことができる。また、衝撃による破壊に対するマージンを上げることができる。さらに、第３円筒部は第２直進規制部材に対して回転自在であり、かつ第２直進規制部材と略一体で光軸方向に移動することができる。
【００１７】
請求項２に係るレンズ鏡筒によれば、第２直進規制部の変形に対する抗力を増すことができる。
【００１８】
請求項３、４に係るレンズ鏡筒によれば、第２直進規制部材の円環部上に多くの結合部が配置されるスペースを少なくすることができ、省スペース化および配置の自由度を向上させることができる。
【発明を実施するための最良の形態】
【００１９】
本発明のレンズ鏡筒および撮影装置の実施の形態について図面を参照しながら説明する。本実施形態の撮影装置は、撮影倍率を任意に変更可能な沈胴式のズーム機構を有する撮影レンズ鏡筒を備えたデジタルカメラに適用される。
【００２０】
図１は電源をＯＦＦにした状態のデジタルカメラ１２の外観を示す斜視図である。図２は電源をＯＮにした状態のデジタルカメラ１２の外観を示す斜視図である。図３はデジタルカメラ１２の上面を示す図である。図４はデジタルカメラ１２の背面を示す図である。図５はデジタルカメラ１２の底面を示す図である。
【００２１】
デジタルカメラ１２の正面には、被写体の構図を決めるためのファインダ１７、測光・測距を行う際の光源の補助を行う補助光源１６、ストロボ１８および撮影レンズ鏡筒７１が設けられている。
【００２２】
また、デジタルカメラ１２の上面には、レリーズボタン１３、電源切換えボタン１５およびズームスイッチ１４が配置されている。また、デジタルカメラ１２の底面には、三脚取付部２７およびカードバッテリカバー２８が配置されている。カードバッテリカバー２８の内部には、後述するメモリカードドライブ４２およびバッテリ挿入部（図示せず）が設けられている。
【００２３】
また、デジタルカメラ１２の背面には、様々な機能の切換えを行う操作ボタン２１、２２、２３、２４、２５、２６、ＬＣＤからなるディスプレイ２０、およびファインダ接眼部１９が配置されている。操作ボタン２１、２２、２３、２４、２５、２６の押下により、デジタルカメラ１２の動作モード、例えば撮影モード、再生モード、動画撮影モード等の選択が行われる。ディスプレイ２０は、メモリ４０に保存された画像データやメモリカードから読み込んだ画像データを画面に表示する。また、再生モードが選択されると、ディスプレイ２０は、複数の撮影データを縮小して画面に表示する。
【００２４】
図６はデジタルカメラ１２の制御部およびその周辺回路の構成を示すブロック図である。制御部５０は、ＣＰＵ４６、ＲＯＭ４５およびＲＡＭ４７から主に構成されている。制御部５０には、バス４４を介して、レリーズボタン１３、操作ボタン２１〜２６、ディスプレイ２０、メモリ４０、メモリカードドライブ４２等の各種の構成要素が接続されている。
【００２５】
また、バス４４を介して制御部５０と接続される駆動回路４３には、ズームモータ駆動部２９、フォーカスモータ駆動部３１、シャッタ駆動部３２、絞り駆動部３５、ＣＣＤやＣＭＯＳ等の撮像素子３７およびストロボ１８が接続されている。ズームモータ駆動部２９は鏡筒駆動モータ２９ａを駆動する。フォーカスモータ駆動部３１はフォーカスモータ３１ａを駆動する。これら各部の駆動は、制御部５０からの信号により制御される。ＲＯＭ４５には、上記各種の構成要素を制御する制御プログラムが記憶されている。ＲＡＭ４７には、各制御プログラムに必要なデータが記憶される。
【００２６】
上記構成を有するデジタルカメラ１２では、使用者が電源切り替えボタン１５を操作して電源をＯＦＦからＯＮにすると、ＣＰＵ４６はＲＯＭ４５から必要な制御プログラムを読み出して初期動作を開始する。つまり、制御部５０は、撮影レンズ鏡筒７１を所定の撮影可能領域に移動させ、撮影機能を立ち上げて撮影スタンバイ状態になる。
【００２７】
使用者が撮影を行うためにレリーズボタン１３を押すと、制御部５０は、撮像素子３７により被写体の明るさを検知し、その測光値に基づいて絞り値やシャッタスピードを設定するとともに、ストロボ１８を発光するか否かを判断する。また、使用者は、あらかじめ操作ボタン２１を操作することによってストロボ１８を強制的に発光させるか、発光させないかを選択することもできる。
【００２８】
つづいて、制御部５０は、測距を行い、被写体との距離を測定してフォーカスモータ駆動部３１を制御し、フォーカスレンズ部３０を所定のフォーカス位置に移動させる。フォーカスレンズ部３０として、後述する撮影レンズ部１、第２レンズ部２および第３レンズ部５が用いられる。そして、制御部５０は、シャッタ駆動部３２を制御してシャッタ３３の開閉を行い、所望の画像を撮像素子３７に取り込ませる。撮像素子３７には、露光制御値に基づいて入射した光の光量に応じた電荷が蓄積され、その電荷が画像信号となり、アナログ信号処理部３６に出力される。
【００２９】
アナログ信号処理部３６は、取り込まれた画像信号にアナログ信号処理を施し、Ａ／Ｄ変換部３８に出力する。Ａ／Ｄ変換部３８は、取り込まれたアナログデータをデジタルデータに変換する。このデジタルデータはデジタル信号処理部３９に出力され、デジタルデータの処理が行われる。最終的にデジタルデータはメモリ４０に記憶される。
【００３０】
メモリ４０に記憶されたデジタルデータは、操作ボタン２２の操作によって圧縮伸張部４１によりＪＰＥＧやＴＩＦＦ等の圧縮加工等が施された後、メモリカードドライブ４２に出力され、メモリカードに記憶される。なお、メモリ４０を持たないデジタルカメラ１２の場合、デジタル信号処理部３９で処理されたデジタルデータは、圧縮伸張部４１に出力され、メモリカードドライブ４２でメモリカードに記憶される。
【００３１】
制御部５０は、メモリ４０に記憶された画像データやメモリカードドライブ４２でメモリカードに記憶されている画像データに対し、圧縮伸張部４１によって伸張処理を行い、処理後の画像データを、バス４４を介してディスプレイ２０に表示させる。使用者は、ディスプレイ２０に表示されたデータを見てその画像が不必要であると判断した場合、操作ボタン２３の操作によって消去することができる。
【００３２】
使用者がデジタルカメラ１２の上面に配置されたズームスイッチ１４を操作することにより、ズームモータ駆動部２９は、駆動回路４３を介して制御部５０によって制御され、撮影レンズ鏡筒７１をレンズの光軸方向（レンズの中心を通る光軸の方向）に移動させる。また、使用者は、ズームスイッチ１４を操作することにより、ディスプレイ２０に表示されている記憶画像を拡大あるいは縮小する、いわゆるデジタルズームを行うことができる。
【００３３】
つぎに、デジタルカメラ１２の撮影レンズ鏡筒に備わるレンズ群の構成について説明する。図７は収納状態における撮影レンズ鏡筒７１の内部構造を示す断面図である。図８は撮影可能状態における撮影レンズ鏡筒７１の内部構造を示す断面図である。図９は撮影レンズ鏡筒７１の構造を示す分解斜視図である。
【００３４】
撮影レンズ部１は光学レンズが装着された筒状の筐体で構成されている。撮影レンズ部１には、ピン形状のフォロワ部１ａが形成されている。ここでは、フォロワ部１ａは光軸に対して軸周方向の６０°等分に６個配置されている。また、第２レンズ部２は別の光学レンズが装着されたホルダで構成されている。第２レンズ部２にもピン形状のフォロワ部２ａが一体で形成されている。フォロワ部２ａは、光軸に対して軸周方向の１２０°等分に位置する３箇所に配置されている。また、第３レンズ部５は別の光学レンズが装着されたホルダで構成されている。第３レンズ部５にもピン形状のフォロワ部５ａが一体で形成されている。
【００３５】
円筒部３の外周には、フォロワ部１ａを追従させる第１カム溝（カム部）３ａが形成されている。また、円筒部３の内周には、フォロワ部２ａを追従させる第２カム溝（図示せず）が周上の３箇所に形成されている。また同様に、円筒部３の内周には、フォロワ部５ａを追従させる第３カム溝（図示せず）が周上の３箇所に形成されている。
【００３６】
また、円筒部３の内周には直進規制部材４が配置されている。円筒部３と直進規制部材４は、バヨネット結合しており、円筒部３は直進規制部材４の外周に沿って回転する。撮影レンズ部１は、光軸方向に移動する際、直進規制部材４によって直進方向に規制を受ける。第２レンズ部２および第３レンズ部５においても、直進規制部材４によってそれらの移動は直進方向に規制される。
【００３７】
また、撮影レンズ部１の外周には第２円筒部７が配置されている。第２円筒部７と円筒部３は、バヨネット結合しており、略一体で光軸（前後）方向に移動自在である。
【００３８】
また、第２円筒部７には、フォロワ部７ａが設けられており、第３円筒部８に形成されたカム溝（図示せず）に追従する。第３円筒部８は、固定カム部９に設けられたカム溝（図示せず）によって光軸方向に移動自在である。また、第３円筒部８は、固定カム部９の外周に配置されているドライブリング１０によって直接回転力を受ける。ドライブリング１０はカバー部材１１により保持されている。また、撮影レンズ部１、第２円筒部７および第３円筒部８は光軸方向に収納自在である。
【００３９】
図１０は第２直進規制部材６の構造を示す斜視図である。図１１は第３円筒部８の構造を示す斜視図である。図１２は撮影レンズ部１と第２円筒部７の組み込みを示す斜視図である。図１３は撮影レンズ鏡筒の構造を示す断面図である。
【００４０】
第２直進規制部材６は、円環部６ｑ、この円環部６ｑから光軸方向に突出する２つの直進規制部６ａおよび２つの直進規制部６ｂを有する。また、直進規制部６ｂの近傍であって、円環部６ｑの軸径方向にリブ６ｒが形成されている。一方、直進規制部材４の外周には、２つの被直進規制部４ａが設けられており、２つの直進規制部６ａがそれぞれ直進規制部材４の２つの被直進規制部４ａに嵌合することで、直進規制部材４は直進方向にガイド（案内）される。また、第２円筒部７の内周には、２つの被直進規制部７ｂが設けられており、２つの第２直進規制部６ｂがそれぞれ第２円筒部７の２つの被直進規制部７ｂに嵌合することで、第２円筒部７は直進方向にガイド（案内）される。
【００４１】
また、図１１に示すように、第３円筒部８は、被バヨネット部８ｂの溝に第２直進規制部材６のバヨネット保持部（結合部）が挟み込まれるようにして、第２直進規制部材６に組み込まれる。これにより、第３円筒部８と第２直進規制部材６は光軸方向に一体で前後移動しながら、第３円筒部８は、回転自在に保持されることになる。
【００４２】
第２直進規制部材６に設けられている直進キー６ｉが固定カム部９に設けられている直進ガイド部（図示せず）に嵌合することによって、第２直進規制部材６の回転は規制される。
【００４３】
鏡筒収納状態（図１参照）において、ズームモータ駆動部２９によりギアを介してドライブリング１０が回転駆動されると、第３円筒部８が回転し、さらに第３円筒部８によって円筒部３が回転する。これにより、撮影レンズ部１、第２レンズ部２および第３レンズ部５が光軸方向に移動する。このとき、第２直進規制部材６、直進規制部材４および第２円筒部７は回転しない。なお、円筒部３と直進規制部材４および第２円筒部７とは、バヨネット結合しているので、これらは光軸方向に一体で移動する。第３円筒部８および第２直進規制部材６もバヨネット結合しているので、光軸方向に一体で移動する。各要素が移動した結果、撮影可能状態（図２参照）になる。
【００４４】
ところで、デジタルカメラのような小型のコンシューマ機器では、ユーザのちょっとした不注意でこれを落としてしまったり、ぶつけたりする可能性がある。このため、デジタルカメラに対し、ある程度衝撃による強度を確保する必要がある。
【００４５】
円筒部３に形成されたカム部３ａが光軸方向に立ったような状態、つまり繰り出し側の移動スピードが速い状態であるところに撮影レンズ部１が停止している場合、撮影レンズ部１に衝撃が加わると、衝撃力がフォロア部１ａを介してカム部３ａに伝わる。カム部３ａに伝わった衝撃力によって、円筒部３に対して回転力が加わる。しかし、円筒部３はズームモータ駆動部２９によってロックされているので、回転しない。このため、撮影レンズ部１が逆に回転力を受けることになる。撮影レンズ部１の回転力は直進規制部材４に伝わり、さらに第２直進規制部材６に設けられている直進規制部６ａに伝わることになる。
【００４６】
ここで、図１２、図１３に示すように、撮影レンズ部１には、第３直進規制部１ｂがフォロワ部１ａと同位相に６箇所配置される。また、第２円筒部７には、長溝形状の被第３直進規制部７ｃが設けられる。通常の使用状態では、第３直進規制部１ｂと被第３直進規制部７ｃは非接触状態にある。撮影レンズ部１への衝撃時、第２直進規制部材６等が弾性変形し、撮影レンズ部１が回転すると、第３直進規制部１ｂは被第３直進規制部７ｃと当接し、撮影レンズ部１の回転力を第２円筒部７が受け止める。その回転力が第２直進規制部材６に設けられている第２直進規制部６ｂに伝わることになる。
【００４７】
このような構成をとることで、撮影レンズ部１への衝撃力を、内周方向の直進規制部材４で受け止めるとともに、外周方向の第２円筒部７で受け止めることができ、衝撃による破壊に対するマージンを上げることができる。
【００４８】
また、衝撃時、いずれのルートを通っても第２直進規制部材６へ衝撃力が伝わるので、この力を受ける結合部が変形しないようにする必要がある。このため、図１０に示すように、直進規制部６ａ、６ｂの両側には、結合部６ｃ、６ｄ、６ｅ、６ｆ、６ｇ、６ｈが設けられており、変形に対する抗力が強くなる。つまり、結合部６ｃ、６ｄ、６ｅ、６ｆ、６ｇ、６ｈは直進規制部６ａ、６ｂの変形防止保持部として機能する。
【００４９】
また、図１１に示すように、第３円筒部８の後部（後端部）には、溝状の被バヨネット部８ｂが設けられており、結合部６ｃ、６ｄ、６ｅ、６ｆ、６ｇ、６ｈがバヨネット状に組み込まれる。このように、第３円筒部８と第２直進規制部材６は、回転自在でありながら略一体で光軸方向に移動することができる。
【００５０】
また、図１０に示すように、直進規制部６ａの変形防止は、主に結合部６ｄと６ｅのセット、および結合部６ｇと６ｈのセットで行われる。また、第２直進規制部６ｂの変形防止は、主に結合部６ｃと６ｄのセット、および結合部６ｆと６ｇのセットで行われる。このように、結合部６ｄ、６ｅ、６ｇ、６ｈ、６ｃ、６ｄ、６ｆ、６ｇは変形防止保持部を兼ねている。
【００５１】
ここで、単純に、直進規制部の両横に結合部を配置するだけでも変形防止効果はある。しかし、第２直進規制部材６の円環部６ｑを円とみなした場合、第２直進規制部６ｂに対して２つの結合部を接線上（接線方向）に配置することで、第２直進規制部材６の変形に対する抗力を増すことができる。例えば、第２直進規制部６ｂに対し、結合部６ｃ、６ｄのセットは接線ｍ上に配置されている。同様に、結合部６ｆ、６ｇのセットも接線ｎ上に配置されている。
【００５２】
また、一般的に、１つの直進規制部に対し２つの結合部が必要であるので、本実施形態の場合、４つの直進規制部が存在するので合計８つの結合部が必要であると考えられる。しかし、結合部６ｄは直進規制部６ａと第２直進規制部６ｂの両方の隣に配置されているので、１つで２つの直進規制部を保持することが可能である。結合部６ｇも同様である。これにより、第２直進規制部材６の円環部６ｑ（円周）上に多くの結合部が配置されるスペースを少なくすることができ、省スペース化および配置の自由度を向上させることができる。
【００５３】
図１４は撮影レンズ鏡筒７１を備えたデジタルカメラの電源ＯＮから撮影終了までの動作手順を示すフローチャートである。この制御プログラムは制御部５０内のＲＯＭ４５に格納されており、ＣＰＵ４６によって実行される。
【００５４】
使用者がデジタルカメラ１２の電源をＯＮすると、ＣＰＵ４６は、ズームモータ駆動部２９に指令を送り、鏡筒駆動モータ２９ａをＣＷ回転させる（ステップＳ１）。ＣＰＵ４６は、その後、所定の動作を行わせ、撮影レンズ鏡筒７１が撮影位置に移動したことを確認すると、鏡筒駆動モータ２９ａを停止させる。この動作により、撮影レンズ鏡筒は図１の状態から図２の状態に変化する。
【００５５】
ＣＰＵ４６は、使用者によってレリーズボタン１３がＯＮに操作されるまで待ち（ステップＳ３）、ＯＮに操作されると、ＣＰＵ４６は測光を行い、被写体の輝度情報を得る（ステップＳ４）。
【００５６】
ＣＰＵ４６は、得られた輝度情報が既定の輝度より高輝度であるか否かを判別する（ステップＳ５）。得られた輝度情報が既定の輝度より高輝度である場合、ＣＰＵ４６は、絞り３４を光軸に進入させ、入射光量を変化させる（ステップＳ６）。
【００５７】
一方、ＣＰＵ４６は、得られた輝度情報が既定の輝度より低輝度である場合、絞り３４を進入させる動作を行わず、光軸から退避した状態にしておき、ステップＳ７の処理に進む。
【００５８】
その後、ＣＰＵ４６は、フォーカスレンズ部３０を作動させ、被写体のピントが合う位置に移動させると（ステップＳ７）、その位置で画像の取り込みを開始する（ステップＳ８）。ＣＰＵ４６は、シャッタ３３を開状態から閉状態に移動させて入射光量を遮り（ステップＳ９）、画像取り込みを終了する（ステップＳ１０）。
【００５９】
その後、ＣＰＵ４６は、絞り３４を光軸から退避させ（ステップＳ１１）、フォーカスレンズ部３０を初期位置に移動させる（ステップＳ１２）。この後、ＣＰＵ４６はステップＳ３の処理に戻り、電源がＯＦＦになるまで同様の処理を繰り返す。
【００６０】
本実施形態の撮影レンズ鏡筒は、直進キー（直進規制部６ａ、第２直進規制部６ｂ）を使用して省スペースに鏡筒の直進規制を行う際、鏡筒の先端に加わった衝撃を、内周方向の直進規制部材４および外周方向の第２円筒部７の両方で受け止める。これにより、衝撃による破壊へのリスクを低減することができる。また、直進キーの周囲に、変形防止保持部を兼ねるバヨネット形状をした結合部を設けることで、直進キーの変形をある程度まで防止することができる。
【００６１】
なお、本発明は、上記実施形態の構成に限られるものではなく、特許請求の範囲で示した機能、または本実施形態の構成が持つ機能が達成できる構成であればどのようなものであっても適用可能である。
【００６２】
例えば、上記実施形態では、コンパクトタイプのデジタルカメラを例に説明したが、本発明はフィルムカメラ、デジタルビデオカメラ、デジタルＳＬＲ（一眼レフカメラ）等にも適用可能である。
【図面の簡単な説明】
【００６３】
【図１】電源をＯＦＦにした状態のデジタルカメラ１２の外観を示す斜視図である。
【図２】電源をＯＮにした状態のデジタルカメラ１２の外観を示す斜視図である。
【図３】デジタルカメラ１２の上面を示す図である。
【図４】デジタルカメラ１２の背面を示す図である。
【図５】デジタルカメラ１２の底面を示す図である。
【図６】デジタルカメラ１２の制御部およびその周辺回路の構成を示すブロック図である。
【図７】収納状態における撮影レンズ鏡筒７１の内部構造を示す断面図である。
【図８】撮影可能状態における撮影レンズ鏡筒７１の内部構造を示す断面図である。
【図９】撮影レンズ鏡筒７１の構造を示す分解斜視図である。
【図１０】第２直進規制部材６の構造を示す斜視図である。
【図１１】第３円筒部８の構造を示す斜視図である。
【図１２】撮影レンズ部１と第２円筒部７の組み込みを示す斜視図である。
【図１３】撮影レンズ鏡筒７１の構造を示す断面図である。
【図１４】撮影レンズ鏡筒７１を備えたデジタルカメラの電源ＯＮから撮影終了までの動作手順を示すフローチャートである。
【符号の説明】
【００６４】
１  撮影レンズ
１ａ  フォロワ部
１ｂ  第３直進規制部
２  第２レンズ部
４  直進規制部材
６  第２直進規制部材
６ａ  直進規制部
６ｂ  第２直進規制部
６ｒ  リブ
７  第２円筒部
７ｃ  被第３直進規制部
８  第３円筒部
７１  撮影レンズ鏡筒
【図１】
0005094485.tif 000002
【図２】
0005094485.tif 000003
【図３】
0005094485.tif 000004
【図４】
0005094485.tif 000005
【図５】
0005094485.tif 000006
【図６】
0005094485.tif 000007
【図７】
0005094485.tif 000008
【図８】
0005094485.tif 000009
【図９】
0005094485.tif 000010
【図１０】
0005094485.tif 000011
【図１１】
0005094485.tif 000012
【図１２】
0005094485.tif 000013
【図１３】
0005094485.tif 000014
【図１４】
0005094485.tif 000015